【手続補正書】
【提出日】平成16年4月26日(2004.4.26)
【手続補正１】
【補正対象書類名】明細書
【補正対象項目名】全文
【補正方法】変更
【補正の内容】
【発明の名称】整数倍大の枚葉紙搬送胴を有する枚葉紙印刷機における周期的見当誤差を排除する方法と装置
【特許請求の範囲】
【請求項１】少なくとも第１と第２のくわえづめ装置を有する整数倍大の枚葉紙搬送胴を有する枚葉紙印刷機における周期的見当誤差を排除する方法において、
前記各くわえづめ装置の閉じ時点を、前記くわえづめ装置に付属した調整装置の調整によって、見当誤差の補償が行われるように変更することを特徴とする、整数倍大の枚葉紙搬送胴を有する枚葉紙印刷機における周期的見当誤差を排除する方法。
【請求項２】見当誤差を引き起こしているくわえづめ装置の閉じ時点を、所定の閉じ時点オフセット値に関して前または後にずらす、請求項１に記載の方法。
【請求項３】前記閉じ時点オフセット値が、前記枚葉紙搬送胴と前置された枚葉紙搬送胴とのくわえづめ中心線の手前側にある、請求項２に記載の方法。
【請求項４】前記閉じ時点オフセット値が、前記枚葉紙搬送胴と前置された枚葉紙搬送胴とのくわえづめ中心線の後方にある、請求項２に記載の方法。
【請求項５】先行している枚葉紙の場合には、見当誤差を引き起こしている前記くわえづめ装置の閉じ時点を、当該くわえづめ装置に付属した前記調整装置の調整によって、見当誤差の補償が行われるように前または後にずらし、後続している枚葉紙の場合には、他の前記くわえづめ装置の閉じ時点を、当該くわえづめ装置に付属した前記調整装置の調整によって、見当誤差の補償が行われるように前または後にずらす、請求項１記載の方法。
【請求項６】閉じ時点の調整を、前記印刷機の運転中に行う、請求項１から請求項５のいずれか１項に記載の方法。
【請求項７】閉じ時点の調整を、前記印刷機の加速運転中に、前記印刷機が所定の運転状態の時に自動的に行う、請求項６記載の方法。
【請求項８】前記調整装置は、手動でおよび／またはモータで回転させられるカム板を含んでおり、閉じ時点の調整を、該カム板の回転によって行う、請求項１から７のいずれか１項に記載の方法。
【請求項９】閉じ時点の調整を、前記くわえづめ装置のストッパの位置変更によって行う、請求項１から請求項７のいずれか１項に記載の方法。
【請求項１０】少なくとも第１と第２のくわえづめ装置を有する整数倍大の枚葉紙搬送胴を有する枚葉紙印刷機における周期的見当誤差を排除する方法において、
前記くわえづめ装置が閉じる力を、見当誤差の補償が行われるように変更することを特徴とする、整数倍大の枚葉紙搬送胴を有する枚葉紙印刷機における周期的見当誤差を排除する方法。
【請求項１１】少なくとも第１と第２のくわえづめ装置（１０ａ，１０ｂ）を含んだ整数倍大の枚葉紙搬送胴（８）を有する枚葉紙印刷機における周期的見当誤差を排除する、特に請求項１から請求項１０のいずれか１項に記載の方法を実行するための装置において、
前記第１のくわえづめ装置（１０ａ）に付属する、第１のアクチュエータ（２２ａ）によって回転させることができる第１のカム板（２ａ）と、前記第２のくわえづめ装置（１０ｂ）に付属する、第２のアクチュエータ（２２ｂ）によって回転させることができる第２のカム板（２ｂ）とを含んでいることを特徴とする、整数倍大の枚葉紙搬送胴を有する枚葉紙印刷機における周期的見当誤差を排除するための装置。
【請求項１２】前記アクチュエータ（２２ａ，２２ｂ）は、モータで作動する調整装置として形成されており、前記第１および／または第２のアクチュエータ（２２ａ，２２ｂ）の制御が、前記印刷機の中央制御装置（２４）によって行われる、請求項１１に記載の装置。
【請求項１３】前記両カム板（２ａ，２ｂ）は、前記印刷機の前記枚葉紙搬送胴（８）の同じ側に配置されている、請求項１１または請求項１２に記載の装置。
【請求項１４】前記両カム板（２ａ，２ｂ）は、前記印刷機の前記枚葉紙搬送胴（８）の、相互に対向する側に配置されている、請求項１１または請求項１２に記載の装置。
【発明の詳細な説明】
【０００１】
【発明の属する技術分野】
本発明は、特許請求の範囲の請求項１および１１の前提部に記載されているとおりの、整数倍大の枚葉紙搬送胴を有する枚葉紙印刷機における周期的見当誤差を排除する方法と装置に関する。
【０００２】
【従来の技術】
例えば２倍大または３倍大の圧胴または渡し胴のような整数倍大の胴を有する印刷機、特に枚葉紙印刷機においては、実際上、印刷ジョブ、紙の特性、および印刷速度に依存して、前置の胴から後置の胴への枚葉紙の引き渡しの際の誤差が周期的に起こることが認められるのであり、その誤差は、いわゆるダブリにつながるものであり、以降においては周期的見当誤差と称される。この見当誤差は、例えば、部品の製作または組立ての許容誤差の結果として、くわえづめ装置のくわえづめの組付け状態や、つめ台の高さの不揃いが起こり、そのような不揃いが、くわえづめのずれや、枚葉紙引渡し誤差や、保持力の不揃いにつながり、それにより、枚葉紙を引き受けるくわえづめ装置の中での、引き渡された枚葉紙の位置が変化する、ということによって引き起こされる。この枚葉紙位置の変化は、２倍大または整数倍大の胴、つまり、２つ、３つ、またはより多くのくわえづめ装置を有する胴の場合、ある１つのくわえづめ装置のみでそれぞれ起こるので、このようにして引き起こされる見当誤差は、しかるべく、２枚ごと、３枚ごと、などの枚葉紙においてのみに対応して認められる。さらに、上述した周期的見当誤差つまり見当変化は、印刷機の駆動歯車のピッチ誤差または偏心性によっても引き起こされる。
【０００３】
この種の見当変化は、印刷機の最終的組立てにおいて、それぞれの部品の、目標を見定めた面倒な修正によって排除される。
【０００４】
【発明が解決しようとする課題】
本発明の目的は、印刷工が、前述の周期的見当変化を、簡単な技術的手段により、簡単でコスト的に有利な仕方で、印刷ジョブ進行の間の印刷機の運転中に排除するのを可能にするような、２倍大または整数倍大の胴を有する枚葉印刷機における周期的見当変化を排除する方法を提供することにある。さらなる本発明の目的は、印刷工が、周期的見当変化の、目標を見定めた簡単でコスト的に有利な修正を、印刷機のすべての運転状態において行うのを可能にするような方法を実行するための装置を提供することにある。
【０００５】
【課題を解決するための手段】
この目的は、本発明によれば、特許請求の範囲の請求項１および１１の特徴の部分によって達成される。
【０００６】
本発明のその他の特徴は、従属する請求項に含まれている。
【０００７】
本発明による方法は、特に、既に稼働に入った印刷機においても、僅かの改造を行った後には実行することができ、なお、例えば、全く特定の被印刷体、被印刷体強度、被印刷体フォーマットなどの場合のみ、または、印刷機の加速運転中に全く特定の速度範囲内においてのみ起こる周期的見当変化をも効果的に排除するということが可能である、という利点を有する。
【０００８】
【発明の実施の形態】
以降においては、望ましい実施形態を用い、それの図面を参照しつつ、本発明を説明する。
【０００９】
図１に示された、周期的見当変化を排除するための装置１は、詳しくは示されていない枚葉印刷機における第１の圧胴つまり前置された圧胴４と第２の圧胴つまり後置された圧胴６との間にある渡し胴８上に配置された、第１のカム板２ａと第２のカム板２ｂを含んでいる。図１と図２に示された本発明の実施形態においては、渡しドラムつまり渡し胴８は、いわゆる２倍大の胴として形成されていて、そのことは、その胴の大きさが、その印刷機において用いられている版胴との関係で２倍の直径を有していることを意味する。しかし、本発明による装置１は、２倍大の胴に限って導入されるのではなく、例えば３倍大や４倍大のドラムのような整数倍大の胴８、すなわち整数倍大のドラムにも導入することができる。
【００１０】
カム板２ａ，２ｂのそれぞれには、対応するくわえづめ装置１０ａ，１０ｂが付属していて、それらくわえづめ装置は、それぞれのカム板２ａ，２ｂによって、詳しくは示されていないローラ付きレバーを経ての公知の仕方で、渡し胴８と前置された圧胴４のくわえづめ中心線１２または渡し胴８と後置された圧胴６のくわえづめ中心線１４の領域において、枚葉紙１６を、前置された圧胴４から受取りまたは後置された圧胴６へ引渡すために操作される。カム板２ａ，２ｂは、図１と２に示された本発明の実施形態においては、渡し胴８の回転軸１８に関して回転可能に支持されていて、それらカム板２ａ，２ｂは、渡し胴８が図２に示されている印刷機の側面壁２０に対して回転するときにも、実質的に位置固定的に止まっている。それぞれのカム板２ａ，２ｂの調整のために、図１と２に示されているように、対応したアクチュエータ２２ａ，２２ｂが設けられていて、それらアクチュエータは、例えば、手動レバーまたは調整ねじを経て手動で操作される調整装置として、または、空気圧式および／または電気式の調整装置として、または、その他の公知の仕方で形成されていてよい。本発明の望ましい実施形態においては、カム板２ａ，２ｂの調整は、電気式および／または空気圧式の調整装置つまりアクチュエータ２２ａ，２２ｂが用いられているときには、図１に二点鎖線で示されている印刷機の中央制御装置２４によって行われる、というのが望ましい。
【００１１】
図２に示されているように、カム板２ａ，２ｂは、実線で示されているように渡し胴８の相互に対向する側にか、または、図２に例として二点鎖線２ｃで略図的に示されているように渡し胴８の同じ側で互いに隣り合うように、配設されていてもよい。カム板２ａ，２ｂの両者を渡し胴８の一方の側に配設することは、例えばくわえづめ軸の、周知のねじりによって起こるような、くわえづめ装置１０ａ，１０ｂの閉じと開きの際の動的変化が、両方のくわえづめ装置１０ａ，１０ｂのための両方のくわえづめ軸における対称的な力の導入の故に、実質的に相等しくなる、という利点を有する。
【００１２】
作動の仕方は下記のとおりである。
【００１３】
アクチュエータ２２ａ，２２ｂを用いてのくわえづめ装置１０ａ，１０ｂの調整によって、前置の圧胴４のくわえづめ装置からの枚葉紙１６の受取りの際の、それぞれのくわえづめ装置１０ａ，１０ｂの閉じ時点Ｔがずらされる。図４（ａ）に示されているように、くわえづめ装置１０ａ，１０ｂの閉じは、普通には、くわえづめ中心線１２において即刻起こり、印刷枚葉紙１６の前縁は、その閉じの時点Ｔｚ（くわえづめの開きの位置Ｐが時間ｔまたは印刷機の角度位置に対してプロットされている図３参照）には、対応するくわえづめ装置１０ａ，１０ｂのつめ台２８ａ，２８ｂの上に平らに載っている。図３においては、くわえづめの、開いた状態の位置がＡによって表され、くわえづめの、閉じた状態の位置がＺによって表されている。図４（ｂ）と４（ｃ）に示されているように、くわえづめ装置１０ａ又は１０ｂの閉じ時点が、対応するカム板２ａ，２ｂの回転によって前または後にずらされると（Ｔoff）、枚葉紙１６とくわえづめ装置の各つめ台２８ａ，２８ｂの間に隙間が生じ、それにより、枚葉紙１６は、それの位置において、くわえづめ装置１０ａ，１０ｂのくわえづめから僅かに抜け出し、それに応じて枚葉紙位置は後方にずれる。
【００１４】
くわえづめ装置１０ａ，１０ｂにおける枚葉紙の、後方へのずれは、図示されていない後続の印刷ユニットにおいて、枚葉紙１６上の印刷絵柄が、枚葉紙前縁の方へとずれることにつながる。印刷絵柄は、くわえづめ中心線１２における閉じ時点Ｔｚから出発すれば、図４（ｃ）に示されたように閉じ時点Ｔｚが前にずれた場合にも、図４（ｂ）に示されたように閉じ時点Ｔｚが後にずれた場合にも枚葉紙の前縁の方にずれるので、本発明による装置の望ましい実施形態の場合には、閉じ時点は、図３に示されているように、両方のくわえづめ装置１０ａ，１０ｂのために、はじめから所定のオフセット値Ｔoffだけ、くわえづめ中心線１２における閉じ時点Ｔｚに対して後にずらされている。図３には示されていないが、同様に、すべてのくわえづめ装置１０ａ，１０ｂの閉じ時点を、所定のオフセット値だけ前へずらしてもよい。これらの場合、このオフセット値Ｔoffから出発して、生じた周期的見当変化の補償のために、見当変化を引き起こしているくわえづめ装置１０ａ，１０ｂの対応するカム板２ａ，２ｂが、アクチュエータ２２ａ又は２２ｂによって、周期的見当変化又は周期的見当誤差の補償が生ずるまで、移動させられる。この場合、オフセット値Ｔoffから出発して、閉じ時点を、例えば値Ｔ-（図３参照）へ前にずらすことによって印刷絵柄は枚葉紙後縁の方へ僅かにずれ、それに対して、閉じ時点をより遅い値Ｔ+へずらすことによって、後続の印刷装置において、印刷絵柄は枚葉紙前縁の方へ僅かにずれる。その際、例えば３°だけのカム板２ａ，２ｂの回転は、約３０μｍだけの枚葉紙位置の変化につながる。
【００１５】
したがって、例えば、周期的見当誤差が第１のくわえづめ装置１０ａにおける枚葉紙１６の先方へのずれによって引き起こされていることを印刷工が確認したならば、印刷工は、付属のカム板２ａを、印刷絵柄における見当誤差がもはや見られなくなるまで、対応する値Ｔ-またはＴ+だけ手前側または後方に調整する。その際、カム板２ａ，２ｂの手前側または後方への移動は、印刷機の運転中に、例えば排紙装置からの遠隔制御で行うことができるのが望ましく、その結果、印刷工が、突発した周期的見当誤差の修正を、極めて短時間内に、比較的少ない手間で実行することができる。
【００１６】
さらに、例えば、印刷機の全く特定の速度範囲において必ず周期的見当誤差が発生するという印刷ジョブの場合には、印刷機の中央制御装置２４が、アクチュエータ２２ａ，２２ｂを、相応の仕方で既にはじめから、そのような速度範囲において修正が印刷工の活動を必要とせずに自動的に遂行されるように制御する、というようにできる。
【００１７】
本発明の、さらにある一つの実施形態においては、くわえづめ装置１０ａ，１０ｂの閉じ時点を前または後へずらすのをくわえづめストッパの調整によって行う、または、見当誤差を対応するくわえづめ装置１０ａ，１０ｂが閉じる力によって補償する、というようにできる。これにより、同様に、くわえづめ装置１０ａ，１０ｂにおける枚葉紙位置の手前側または後方への移動が生じる。
【００１８】
本発明の、さらにある一つの実施形態においては、なお、見当誤差を引き起こしているくわえづめ装置１０ａ，１０ｂの閉じ時点Ｔが、さきに述べたようにオフセット値Ｔoffから出発して前または後へずらされる代わりに、後続する枚葉紙１６の場合には、見当誤差を引き起こしているくわえづめ装置の閉じ時点はそのままにされ、相応の仕方で、１つの第２のくわえづめ装置、または、例えば３倍大のような整数倍大の渡し胴８の場合は複数の第２のくわえづめ装置の閉じ時点が、枚葉紙位置の修正と見当誤差の排除のためにずらされる、というようにできる。けれども、この場合、先行する枚葉紙の場合には、見当誤差を引き起こしているくわえづめ装置の閉じ時点が、単に見当誤差が補償されるまで変えられる。
【００１９】
本発明は、上記においては、くわえづめ装置が閉じる時点ｔに関して説明されたが、時点ｔの代わりに、それと同様に、印刷機の角度位置を用いることができる、ということは自明である。
【００２０】
【発明の効果】
以上説明したように本発明は、周期的見当変化を、簡単な技術的手段により、簡単でコスト的に有利な仕方で、印刷ジョブ進行の間の印刷機の運転中に、印刷工が排除することできるという効果がある。
【図面の簡単な説明】
【図１】枚葉紙オフセット輪転印刷機の渡し胴に配置された、本発明による装置の概略図的側面図である。
【図２】本発明による装置が設けられた印刷機胴の概略図的断面図において、２つのくわえづめ装置のための２つのカム板が、印刷機胴の互いに対向する側にある（実線）場合と、印刷機胴の同じ側にある（二点鎖線）場合を示す図である。
【図３】くわえづめ中心線の後方にある所定のオフセット値に関して、くわえづめ装置の閉じ時点をずらすのを示す線図である。
【図４】前置された圧胴と渡し胴の概略図的断面図である。
（ａ）渡し胴のくわえづめ装置の閉じ時点がくわえづめ中心線にある場合を示す図である。
（ｂ）渡し胴のくわえづめ装置の閉じ時点がくわえづめ中心線に対してオフセット値だけ後にずらされている場合を示す図である。
（ｃ）渡し胴のくわえづめ装置の閉じ時点がくわえづめ中心線に対してオフセット値だけ前にずらされている場合を示す図である。
【符号の説明】
１    周期的見当誤差の排除のための装置
２ａ    第１のカム板
２ｂ、２ｃ    第２のカム板
４    前置された圧胴
６    後置された圧胴
８    渡し胴
１０ａ    第１のくわえづめ装置
１０ｂ    第２のくわえづめ装置
１２  前置された圧胴のくわえづめ中心線
１４  後置された圧胴のくわえづめ中心線
１６  枚葉紙
１８  渡し胴の回転軸
２０  側面壁
２２ａ  第１のアクチュエータ
２２ｂ  第２のアクチュエータ
２４  中央制御装置
２８ａ  第１のつめ台
２８ｂ  第２のつめ台
ｔ    時間
Ｔ    閉じ時点
Ｔｚ    くわえづめ中心線における閉じ時点
Ｔoff    閉じ時点のオフセット値
Ｔ-    前にずらされた閉じ時点
Ｔ+    後にずらされた閉じ時点
Ｐ    くわえづめの位置
Ａ    くわえづめの、開いた状態での位置
Ｚ    くわえづめの、閉じた状態での位置


【手続補正２】
【補正対象書類名】図面
【補正対象項目名】図１
【補正方法】変更
【補正の内容】
【図１】
1998034886.tif 000001
【手続補正３】
【補正対象書類名】図面
【補正対象項目名】図２
【補正方法】変更
【補正の内容】
【図２】
1998034886.tif 000002